【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
長手方向軸線と第１軸線方向端面及び第２軸線方向端面とを有するフィルターエレメントであって；
大きな空間を取り囲むように接続された、前記空間に比べて細い切片で形成されている剛構造である巻き付けフレームと；
前記フレームに巻き付けられた溝ひだ付きフィルター媒体であって、前記媒体の溝ひだが実質的に長手方向に配向され、それにより前記フィルターエレメントを通って軸線方向に通過する流体の流れの濾過を提供する溝ひだ付きフィルター媒体とを備える；
フィルターエレメント。
【請求項２】
前記フレームが実質的に開口しているトラス状構造であり、前記細い切片は、前記大きな空間が三角形状となるように配列された複数の直線状部材である；
請求項１に記載のフィルターエレメント。
【請求項３】
前記巻き付けフレームは、前記フィルターエレメントの前記長手方向軸線と実質的に平行に延在するフレーム軸線と、前記フレーム軸線に沿って前記巻き付けフレームの対向する両端に配設される互いに反対を向く前記巻き付けフレームの第１軸線方向端及び第２軸線方向端とを有し；
前記巻き付けフレームは、長さ、幅、及び厚さを有し、前記長さは前記巻き付けフレームの前記第１軸線方向端及び前記第２軸線方向端間で実質的に前記フレーム軸線に沿って延在し、前記幅は前記フレーム軸線に実質的に直角に延在し、前記厚さは前記フレーム軸線と前記巻き付けフレームの前記幅との双方に実質的に直角に延在し；
前記巻き付けフレームの前記細い切片は、前記巻き付けフレームの幅にわたって前記フレーム軸線に対して横方向に延在する１つ以上の交差部材によってお互いと前記フレーム軸線に対して横方向に離間される関係で接合される、長手方向に延在する第１サイドレール及び第２サイドレールを含み、
前記溝ひだ付きフィルター媒体は、前記媒体の溝ひだを前記フレーム軸線に対して実質的に長手方向に配向した状態で前記巻き付けフレームに巻き付けられ、それにより前記フィルターエレメントを通って前記長手方向軸線と実質的に平行に通過する流体の流れの濾過を提供し；
少なくとも１つの前記フレームの交差部材は接着剤／シーリング剤の層により前記フィルター媒体に接合され、それにより前記フレームと前記媒体との接合部における前記フィルターエレメントの両軸線方向端面間での直接的な流体連通を防止し；
前記フレームは、前記フレームの軸線方向端に隣接する交差部材と、前記フレームの前記軸線方向端から実質的に軸線方向外側に延在する巻き付け機構とを含み、前記巻き付け機構は、前記媒体が前記フレームに巻き付けられる際に、前記フィルターエレメントの長手方向軸線と実質的に平行に延在する巻き軸線まわりに前記フレームを回転させるために、巻き付けトルクを前記フレームに加えるように構成され；
前記フレームの前記巻き付け機構は、巻き付けトルクを発生させるために前記フレームの前記幅に巻き付け力を加えるための、実質的に前記巻き付けフレームの前記幅に沿って延在する少なくとも１つのガイド面を形成する１つ以上の突起を含み；
前記フレームの前記巻き付け機構は、前記フレームのサイドレールを前記巻き軸線に対して横方向に位置決めするストッパーを更に成し；
前記フレームは、分割平面のまわりに構成され、前記分割平面に一致する分割線を有する二分割金型で前記フレームが成形できる；
請求項１又は請求項２に記載のフィルターエレメント。
【請求項４】
長手方向軸線と第１軸線方向端面及び第２軸線方向端面とを有するフィルターエレメントであって；
巻き付けフレームであって、前記フィルターエレメントの前記長手方向軸線と実質的に平行に延在するフレーム軸線と、前記フレーム軸線に沿って前記巻き付けフレームの対向する両端に配設される互いに反対を向く前記巻き付けフレームの第１軸線方向端及び第２軸線方向端とを有する巻き付けフレームを備え；
前記巻き付けフレームは、長さ、幅、及び厚さを有し、前記長さは前記巻き付けフレームの前記第１軸線方向端及び前記第２軸線方向端間で実質的に前記フレーム軸線に沿って延在し、前記幅は前記フレーム軸線に実質的に直角に延在し、前記厚さは前記フレーム軸線と前記巻き付けフレームの前記幅との双方に実質的に直角に延在し；
前記フレームに巻き付けられた溝ひだ付きフィルター媒体であって、前記媒体の溝ひだが前記フレーム軸線に対して実質的に長手方向に配向されており、それにより前記フィルターエレメントを通って前記長手方向軸線と実質的に平行に通過する流体の流れの濾過を提供する溝ひだ付きフィルター媒体を備え、
前記巻き付けフレームは、大きな空間を取り囲むように接続された、前記空間に比べて細い切片で形成されている剛構造である、
フィルターエレメント。
【請求項５】
前記フレームは、該フレームの厚さを貫通し、該フレームの幅にわたって実質的に開口している、
請求項４に記載のフィルターエレメント。
【請求項６】
前記フレームがトラス状構造であり、前記細い切片は、前記大きな空間が三角形状となるように配列された複数の直線状部材である；
請求項４又は請求項５に記載のフィルターエレメント。
【請求項７】
前記巻き付けフレームの前記細い切片は、前記巻き付けフレームの幅にわたって前記フレーム軸線に対して横方向に延在する１つ以上の交差部材によってお互いと前記フレーム軸線に対して横方向に離間される関係で接合される、長手方向に延在する第１サイドレール及び第２サイドレールを含み、
前記両サイドレールは、複数の交差部材によって相互に接続されてトラス状構造を形成し、前記両サイドレール及び交差部材は、前記大きな空間が三角形状となるように配列された；
請求項４乃至請求項６のいずれか１項に記載のフィルターエレメント。
【請求項８】
前記フレームの厚さは、前記両サイドレールの間で最大の断面厚を有し、各サイドレールにおいてより小さい断面厚に収束する実質的に楕円の断面を有する、
請求項７に記載のフィルターエレメント。
【請求項９】
前記断面は、長手方向に延在する両サイドレールの外側端を形成する小半径部に、直線部により接合される前記両サイドレールの間に配設される大半径の対向中央部を有する実質的に滑らかな外周面を形成する、
請求項７又は請求項８に記載のフィルターエレメント。
【請求項１０】
前記溝ひだ付きフィルター媒体は溝ひだを形成する一連の交互配列の山及び谷を有し、前記巻き付けフレームの前記外周面の前記小半径部は、前記巻き付けフレームの前記外周面の前記小半径部に対して位置する前記フィルター媒体の最初の層の２つ以上の隣接する溝ひだの山により密接に囲まれ把持されるよう構成される、
請求項４乃至請求項９のいずれか１項に記載のフィルターエレメント。
【請求項１１】
前記フィルター媒体は媒体の先端縁を有し、前記両サイドレールのうちの一方の前記小半径部は前記フレームの先端を成し、前記フィルターエレメントは、前記媒体の前記先端縁が前記フレームの前記先端に実質的に巻かれることなく前記フレームに取り付けられるように前記先端縁を前記巻き付けフレームに接合するテープ片を更に備える、
請求項４乃至請求項１０のいずれか１項に記載のフィルターエレメント。
【請求項１２】
前記媒体の前記先端縁は、実質的に前記媒体の山の１つに沿って前記媒体を切断して結果的に生ずる半山を形成することにより形成され、前記半山は接着性シーリング剤で充填される、
請求項１１に記載のフィルターエレメント。
【請求項１３】
前記フレームは前記両サイドレール間で開口している前記厚さを貫通して実質的に開口している、
請求項７乃至請求項９のいずれか１項に記載のフィルターエレメント。
【請求項１４】
前記フレームの少なくとも１つの交差部材は接着剤／シーリング剤の層により前記フィルター媒体に接合され、それにより前記媒体と前記フレームの周面との接合部に沿う前記フィルターエレメントの両軸線方向端面間における流体連通を防止する、
請求項４乃至請求項１３のいずれか１項に記載のフィルターエレメント。
【請求項１５】
前記フレームは、前記フレームの軸線方向端を形成する交差部材と、前記フレームの前記軸線方向端から実質的に軸線方向外側に延在する巻き付け機構とを含み、前記巻き付け機構は、前記媒体が前記フレームに巻き付けられる際に、前記フレーム軸線と実質的に平行に配向される巻き軸線まわりに前記フレームを回転させるために、巻き付けトルクを前記フレームに加えるように構成される、
請求項４乃至請求項１４のいずれか１項に記載のフィルターエレメント。
【請求項１６】
前記フレームは：
前記フィルターエレメントの前記軸線方向端面のうちの１つに隣接して配設される前記フレームの軸線方向端と；
前記フレームの前記軸線方向端から実質的に軸線方向外側に延在する巻き付け機構であって、前記媒体が前記フレームに巻き付けられる際に、前記フィルターエレメントの前記長手方向軸線と実質的に平行に延在する巻き軸線まわりに前記フレームを回転させるために前記フレームに加えらる巻き付けトルクを受けるように構成される巻き付け機構とを備える；
請求項４乃至請求項１４のいずれか１項に記載のフィルターエレメント。
【請求項１７】
前記フレームの前記巻き付け機構は、巻き付けトルクを発生させるために前記フレームの前記幅に巻き付け力を加えるための、実質的に前記フレームの前記幅に沿って延在する少なくとも１つのガイド面を形成する１つ以上の突起を備える、
請求項１５又は請求項１６に記載のフィルターエレメント。
【請求項１８】
前記フレームの前記巻き付け機構は、前記巻き軸線に対して前記フレームを横方向に位置決めするストッパーを更に形成する、
請求項１５乃至請求項１７のいずれか１項に記載のフィルターエレメント。
【請求項１９】
前記フレームは、前記フレームの前記幅を通って延在する分割平面のまわりに構成され、前記分割平面は前記分割平面に一致する分割線を有する二分割金型で前記フレームを成形できるように前記フレームの前記厚さを分割する
請求項４乃至請求項１８のいずれか１項に記載のフィルターエレメント。
【請求項２０】
長手方向軸線と第１軸線方向端面及び第２軸線方向端面とを有するフィルターエレメントを製造する方法であって、前記長手方向軸線に対して横方向に延在する１つ以上の交差部材によって、互いに及び前記長手方向軸線に対して横方向に離間される関係で接合される長手方向に延在する第１サイドレール及び第２サイドレールを有する巻き付けフレームに溝ひだ付きフィルター媒体を巻く工程を備える、
フィルターエレメントの製造方法。
【請求項２１】
前記フレームの厚さは、前記両サイドレールの間で最大の断面厚を有し、各サイドレールにおいてより小さい断面厚に収束する実質的に楕円の断面を有し、前記断面は、前記両サイドレールの間に配設される大半径の対向中央部を有し、直線部により長手方向に延在する前記両サイドレールの外面を形成する小半径部に、直線部により接合される前記両サイドレールの間に配設される大半径の対向中央部を有する外周面を形成し、前記溝ひだ付きフィルター媒体は、溝ひだを形成する一連の交互配列の山及び谷を有し、前記巻き付けフレームの前記外周面の前記小半径部は、前記巻き付けフレームの前記外周面に対して位置する前記フィルター媒体の最初の層の２つ以上の隣接する溝ひだの山により密接に囲まれ把持されるよう構成され；
前記媒体の先端縁を前記フレームに貼り付ける工程と；
前記媒体に巻き付け張力を加えながら、前記巻き付けフレームの前記外周面に対して位置する前記フィルター媒体の最初の層の隣接する２つ以上の溝ひだの山が前記フレームの前記外周面の前記小半径部の一方を密接に囲んで把持するように、前記フレームの最初の回転によって前記フレームを実質的に長手方向に貫通する巻き軸線まわりに前記フレームを回転させる工程とを更に備える；
請求項２０に記載のフィルターエレメントの製造方法。
【請求項２２】
前記フレームは、フレームの軸線方向端と前記軸線方向端から内側に離間する少なくとも１つの交差部材とを有する実質的に開口しているトラス状構造であり：
前記フレームの前記軸線方向端から内側に離間する前記交差部材に接着剤／シーリング剤のビードを最初に塗布する工程と；
次いで、前記フレームに前記媒体を少なくとも１回完全に巻き付けた後に、接着剤／シーリング剤のビードを前記フレームの軸線方向端近くに移動し、それにより、前記媒体と前記フレームとの接合部に沿う前記フィルターエレメントの両軸線方向端面間又は前記媒体の連続する層間における直接的な流体連通を防止するように接着剤／シーリング剤の層により前記フィルター媒体を前記フレームに接合する一方で、前記フィルターエレメントの両軸線方向端面間に位置する媒体の活性領域を増加させる工程とを更に備える；
請求項２０又は請求項２１に記載のフィルターエレメントの製造方法。
【請求項２３】
前記フィルター媒体は媒体の先端縁を有し、前記両サイドレールのうちの一方の前記小半径部は前記フレームの先端を形成し、前記フィルターエレメントは前記先端縁を前記巻き付けフレームに接合するテープ片を更に備え：
前記媒体の前記先端縁を、前記フレームの前記先端から選定された間隔で離して配設する工程と；
前記フレームが前記巻き軸線まわりに回転させられる際に、前記媒体の前記先端縁が前記フレームの前記先端に実質的に巻かれることなく前記フレームに取り付けられるように、前記テープ片により前記媒体の前記先端縁を前記フレームに接合する工程とを更に備える；
請求項２０乃至請求項２２のいずれか１項に記載のフィルターエレメントの製造方法。
【請求項２４】
実質的に前記媒体の山の１つに沿って前記媒体を切断することにより、先端に向けて外側に開口する結果的に生じる半山を形成して、前記媒体の先端縁を形成する工程と；
前記半山を接着性シーリング剤で充填する工程とを更に備える；
請求項２０乃至請求項２３のいずれか１項に記載のフィルターエレメントの製造方法。
【請求項２５】
前記巻き付けフレームは、前記フィルターエレメントの前記長手方向軸線と実質的に平行に延在するフレーム軸線と、前記巻き軸線に沿って前記巻き付けフレームの対向する両端に配設され互いに反対を向く前記巻き付けフレームの第１軸線方向端及び第２軸線方向端とを有し；
前記巻き付けフレームは、長さ、幅、及び厚さを有し、前記長さは前記巻き付けフレームの前記第１軸線方向端及び第２軸線方向端間で実質的に前記フレーム軸線に沿って延在し、前記幅は前記フレーム軸線に実質的に直角に延在し、前記厚さは前記フレーム軸線と前記巻き付けフレームの前記幅の双方に実質的に直角に延在し；
前記フレームは、端部交差部材と、前記フレームから延在する巻き付け機構とを含み；
前記端部交差部材は、前記フィルターエレメントの一方の軸線方向端面から軸線方向内側に凹部が設けられて前記フレームの軸線方向端を形成し；
前記巻き付け機構は、前記フレームの前記軸線方向端から実質的に軸線方向外側に延在し、前記エレメントの軸線方向端面と実質的に面一に配置される前記巻き付け機構の遠位端で終端し；
前記フレームの前記巻き付け機構は、実質的に前記巻き付けフレームの前記幅に沿って延在する少なくとも１つのガイド面を形成する１つ以上の突起を含み；
前記フレーム軸線と前記フレームの幅に実質的に直角に向けられる前記ガイド面に対する巻き付けモーメントを加える工程を更に備える；
請求項２１に記載のフィルターエレメントの製造方法。
【請求項２６】
駆動軸線を中心として回転でき、前記フレームの前記ガイド面に係合して動作するよう配向されて連携して構成される少なくとも１つの駆動面が形成された１つ以上の突起を含む駆動体によって、前記フレームの前記巻き付け機構の前記ガイド面に前記巻き付けモーメントを加える工程と；
前記フレームに前記媒体を巻く前に、前記フレームの前記巻き軸線が前記駆動軸線と実質的に一致する点まで前記ガイド面を前記駆動面上で摺動させることにより、前記駆動体を前記フレームの前記ガイド面と係合する工程と；
前記媒体を前記フレームに巻いた後に、前記駆動体を前記駆動軸線に沿って前記フィルターエレメントから軸線方向に離れるよう移動することにより前記フィルターエレメントを外す工程とを更に備える；
請求項２５に記載のフィルターエレメントの製造方法。
【請求項２７】
前記フレームの前記巻き付け機構は前記駆動体を係合するストッパーを更に成し、それにより前記ストッパーが駆動機構に実質的に当接しているときに前記フレーム軸線を前記駆動軸線と実質的に一致するように位置決めし、
前記ストッパーを前記駆動体に実質的に当接させる工程を更に備える；
請求項２６に記載のフィルターエレメントの製造方法。
【請求項２８】
前記フレームの前記幅にわたって延在する二分割平面を有し、前記フレームが分割平面に一致する分割線を有するように前記フレームの前記厚さを分割する、二分割金型で前記巻き付けフレームを成形する工程を更に備える；
請求項２５乃至請求項２７のいずれか１項に記載のフィルターエレメントの製造方法。